【事件の表示】
　商願２００１−　５８５４３拒絶査定不服審判事件について、次のとおり審決する。
【結　論】
　原査定を取り消す。
　本願商標は、登録すべきものとする。
【理　由】
１　本願商標
　本願商標は、「ＤＦＡＣＥ」の文字を標準文字で表してなり、第１６類「紙類，紙製包装用容器，家庭用食品包装フイルム，紙製ごみ収集用袋，プラスチック製ごみ収集用袋，衛生手ふき，紙製タオル，紙製テーブルナプキン，紙製手ふき，紙製ハンカチ，型紙，裁縫用チャコ，紙製テーブルクロス，紙製ブラインド，紙製のぼり，紙製旗，紙製幼児用おしめ，荷札，印刷物，書画，写真，写真立て，かるた，歌がるた，トランプ，花札，文房具類（「昆虫採集用具」を除く。），昆虫採集用具，事務用又は家庭用ののり及び接着剤，青写真複写機，あて名印刷機，印字用インクリボン，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，印刷用インテル，活字，装飾塗工用ブラシ，封ろう，マーキング用孔開型板，観賞魚用水槽及びその附属品」、第３５類「広告，トレーディングスタンプの発行，経営の診断及び指導，市場調査，商品の販売に関する情報の提供，ホテルの事業の管理，財務書類の作成，職業のあっせん，競売の運営，輸出入に関する事務の代理又は代行，新聞の予約購読の取次ぎ，書類の複製，速記，筆耕，電子計算機・タイプライター・テレックス又はこれらに準ずる事務用機器の操作，文書又は磁気テープのファイリング，建築物における来訪者の受付及び案内，広告用具の貸与，タイプライター・複写機及びワードプロセッサの貸与」、第３６類「預金の受入れ（債券の発行により代える場合を含む。）及び定期積金の受入れ，資金の貸付け及び手形の割引，内国為替取引，債務の保証及び手形の引受け，有価証券の貸付け，金銭債権の取得及び譲渡，有価証券・貴金属その他の物品の保護預かり，両替，金融先物取引の受託，金銭・有価証券・金銭債権・動産・土地若しくはその定著物又は地上権若しくは土地の賃借権の信託の引受け，債券の募集の受託，外国為替取引，信用状に関する業務，割賦購入あっせん，前払式証票の発行，ガス料金又は電気料金の徴収の代行，有価証券の売買，有価証券指数等先物取引，有価証券オプション取引及び外国市場証券先物取引，有価証券の売買・有価証券指数等先物取引・有価証券オプション取引及び外国市場証券先物取引の媒介・取次ぎ又は代理，有価証券市場における有価証券の売買取引・有価証券指数等先物取引及び有価証券オプション取引の委託の媒介・取次ぎ又は代理，外国有価証券市場における有価証券の売買取引及び外国市場証券先物取引の委託の媒介・取次ぎ又は代理，有価証券の引受け，有価証券の売出し，有価証券の募集又は売出しの取扱い，株式市況に関する情報の提供，商品市場における先物取引の受託，生命保険契約の締結の媒介，生命保険の引受け，損害保険契約の締結の代理，損害保険に係る損害の査定，損害保険の引受け，保険料率の算出，建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買，土地の売買の代理又は媒介，建物又は土地の情報の提供，骨董品の評価，美術品の評価，宝玉の評価，企業の信用に関する調査，慈善のための募金」、第３７類「建築一式工事，しゅんせつ工事，土木一式工事，舗装工事，石工事，ガラス工事，鋼構造物工事，左官工事，大工工事，タイル・れんが又はブロックの工事，建具工事，鉄筋工事，塗装工事，とび・土工又はコンクリートの工事，内装仕上工事，板金工事，防水工事，屋根工事，管工事，機械器具設置工事，さく井工事，電気工事，電気通信工事，熱絶縁工事，建築設備の運転，船舶の建造，船舶の修理又は整備，航空機の修理又は整備，自転車の修理，自動車の修理又は整備，鉄道車両の修理又は整備，二輪自動車の修理又は整備，育雛器の修理又は保守，ふ卵器の修理又は保守，医療用機械器具の修理又は保守，印刷用又は製本用の機械器具の修理又は保守，映写機の修理又は保守，写真機械器具の修理又は保守，エレベーターの修理又は保守，化学機械器具の修理又は保守，火災報知機の修理又は保守，ガソリンステーション用装置の修理又は保守，ガラス器製造機械の修理又は保守，機械式駐車装置の修理又は保守，牛乳ろ過器の修理又は保守，搾乳機の修理又は保守，業務用食器洗浄機の修理又は保守，業務用電気洗濯機の修理又は保守，漁業用機械器具の修理又は保守，金属加工機械器具の修理又は保守，靴製造機械の修理又は保守，耕うん機械器具（手持ち工具に当たるものを除く。）の修理又は保守，栽培機械器具の修理又は保守，収穫機械器具の修理又は保守，植物粗製繊維加工機械器具の修理又は保守，飼料圧搾機の修理又は保守，飼料裁断機の修理又は保守，飼料配合機の修理又は保守，飼料粉砕機の修理又は保守，工業用炉の修理又は保守，鉱山機械器具の修理又は保守，ゴム製品製造機械器具の修理又は保守，蚕種製造用又は養蚕用の機械器具の修理又は保守，自動販売機の修理又は保守，銃砲の修理又は保守，浄水装置の修理又は保守，照明用器具の修理又は保守，食料加工用又は飲料加工用の機械器具の修理又は保守，事務用機械器具の修理又は保守，製材用・木工用又は合板用の機械器具の修理又は保守，繊維機械器具の修理又は保守，潜水用機械器具の修理又は保守，測定機械器具の修理又は保守，たばこ製造機械の修理又は保守，暖冷房装置の修理又は保守，バーナーの修理又は保守，ボイラーの修理又は保守，ポンプの修理又は保守，冷凍機械器具の修理又は保守，貯蔵槽類の修理又は保守，電気通信機械器具（電話機・ラジオ受信機及びテレビジョン受信機を除く。）の修理又は保守，電話機の修理，ラジオ受信機又はテレビジョン受信機の修理，電子計算機（中央処理装置及び電子計算機用プログラムを記憶させた電子回路・磁気ディスクその他の周辺機器を含む。）の修理又は保守，配電用又は制御用の機械器具の修理又は保守，発電機の修理又は保守，電動機の修理又は保守，塗装機械器具の修理又は保守，乗物用洗浄機の修理又は保守，土木機械器具の修理又は保守，廃棄物圧縮装置の修理又は保守，廃棄物破砕装置の修理又は保守，パルプ製造用・製紙用又は紙工用の機械器具の修理又は保守，半導体製造装置の修理又は保守，美容院用又は理髪店用の機械器具の修理又は保守，プラスチック加工機械器具の修理又は保守，包装用機械器具の修理又は保守，ミシンの修理又は保守，民生用電気機械器具の修理又は保守，遊園地用機械器具の修理又は保守，理化学機械器具の修理又は保守，運動用具の修理，おもちゃ又は人形の修理，家具の修理，傘の修理，ガス湯沸かし器の修理又は保守，加熱器の修理又は保守，なべ類の修理又は保守，楽器の修理又は保守，かばん類又は袋物の修理，金庫の修理又は保守，靴の修理，錠前の取付け又は修理，洗浄機能付き便座の修理，釣り具の修理，時計の修理又は保守，はさみ研ぎ及びほうちょう研ぎ，ビリヤード用具の修理，遊戯用器具の修理，身飾品の修理，眼鏡の修理，浴槽類の修理又は保守，毛皮製品の手入れ又は修理，洗濯，被服のプレス，畳類の修理，被服の修理，布団綿の打直し，煙突の清掃，建築物の外壁の清掃，窓の清掃，床敷物の清掃，床磨き，し尿処理槽の清掃，貯蔵槽類の清掃，道路の清掃，浴槽又は浴槽がまの清掃，電話機の消毒，有害動物の防除（農業・園芸又は林業に関するものを除く。），洗車機の貸与，電気洗濯機の貸与，土木機械器具の貸与，床洗浄機の貸与，モップの貸与」、第３８類「移動体電話による通信，テレックスによる通信，電子計算機端末による通信，電報による通信，電話による通信，ファクシミリによる通信，無線呼出し，テレビジョン放送，有線テレビジョン放送，ラジオ放送，報道をする者に対するニュースの供給，電話機・ファクシミリその他の通信機器の貸与」、第３９類「鉄道による輸送，車両による輸送，船舶による輸送，航空機による輸送，貨物のこん包，貨物の積卸し，貨物の輸送の媒介，船舶の貸与・売買又は運航の委託の媒介，船舶の引揚げ，水先案内，主催旅行の実施，旅行者の案内，旅行に関する契約（宿泊に関するものを除く。）の代理・媒介又は取次ぎ，寄託を受けた物品の倉庫における保管，他人の携帯品の一時預かり，ガスの供給，電気の供給，水の供給，熱の供給，係留施設の提供，倉庫の提供，駐車場の提供，飛行場の提供，車いすの貸与，自転車の貸与，航空機の貸与，コンテナの貸与，パレットの貸与，自動車の貸与，船舶の貸与，包装用機械器具の貸与」、第４０類「布地・被服又は毛皮の加工処理（乾燥処理を含む。），裁縫，ししゅう，紙の加工，ゴムの加工，プラスチックの加工，食料品の加工，石材の加工，セラミックの加工，電気めっき，フライス削り，焼きなまし，焼き戻し，溶融めっき，剥製，木材の加工，映画用フィルムの現像，写真の引き伸ばし，写真の焼付け，写真用フィルムの現像，製本，一般廃棄物の処分，産業廃棄物の処分，廃棄物の再生，グラビア製版，化学機械器具の貸与，ガラス器製造機械の貸与，金属加工機械器具の貸与，靴製造機械の貸与，写真の現像用・焼付け用・引き伸ばし用又は仕上げ用の機械器具の貸与，食料加工用又は飲料加工用の機械器具の貸与，製材用・木工用又は合板用の機械器具の貸与，製本機械の貸与，繊維機械器具の貸与，たばこ製造機械の貸与，廃棄物圧縮装置の貸与，廃棄物破砕装置の貸与，パルプ製造用・製紙用又は紙工用の機械器具の貸与」、第４１類「技芸・スポーツ又は知識の教授，動物の調教，植物の供覧，動物の供覧，図書及び記録の供覧，美術品の展示，庭園の供覧，洞窟の供覧，映画・演芸・演劇又は音楽の演奏の興行の企画又は運営，映画の上映・制作又は配給，演芸の上演，演劇の演出又は上演，音楽の演奏，放送番組の制作，ゴルフの興行の企画・運営又は開催，相撲の興行の企画・運営又は開催，ボクシングの興行の企画・運営又は開催，野球の興行の企画・運営又は開催，サッカーの興行の企画・運営又は開催，競馬の企画・運営又は開催，競輪の企画・運営又は開催，競艇の企画・運営又は開催，小型自動車競走の企画・運営又は開催，当せん金付証票の発売，音響用又は映像用のスタジオの提供，運動施設の提供，娯楽施設の提供，興行場の座席の手配，映写機及びその附属品の貸与，映写フィルムの貸与，楽器の貸与，スキー用具の貸与，スキンダイビング用具の貸与，テレビジョン受信機の貸与，ラジオ受信機の貸与，図書の貸与，レコード又は録音済み磁気テープの貸与，録画済み磁気テープの貸与，おもちゃの貸与，遊園地用機械器具の貸与，遊戯用器具の貸与」及び第４２類「宿泊施設の提供，宿泊施設の提供の契約の媒介又は取次ぎ，飲食物の提供，美容，理容，入浴施設の提供，写真の撮影，オフセット印刷，グラビア印刷，スクリーン印刷，石版印刷，凸版印刷，気象情報の提供，求人情報の提供，結婚又は交際を希望する者への異性の紹介，婚礼（結婚披露を含む。）のための施設の提供，葬儀の執行，墓地又は納骨堂の提供，一般廃棄物の収集及び分別，産業廃棄物の収集及び分別，庭園又は花壇の手入れ，庭園樹の植樹，肥料の散布，雑草の防除，有害動物の防除（農業・園芸又は林業に関するものに限る。），建築物の設計，測量，地質の調査，機械・装置若しくは器具（これらの部品を含む。）又はこれらにより構成される設備の設計，デザインの考案，電子計算機・自動車その他その用途に応じて的確な操作をするためには高度の専門的な知識・技術又は経験を必要とする機械の性能・操作方法等に関する紹介及び説明，電子計算機のプログラムの設計・作成又は保守，医薬品・化粧品又は食品の試験・検査又は研究，建築又は都市計画に関する研究，公害の防止に関する試験又は研究，電気に関する試験又は研究，土木に関する試験又は研究，農業・畜産又は水産に関する試験・検査又は研究，機械器具に関する試験又は研究，著作権の利用に関する契約の代理又は媒介，通訳，翻訳，施設の警備，身辺の警備，個人の身元又は行動に関する調査，あん摩・マッサージ及び指圧，きゅう，柔道整復，はり，医業，医療情報の提供，健康診断，歯科医業，調剤，栄養の指導，家畜の診療，保育所における乳幼児の保育，老人の養護，編み機の貸与，ミシンの貸与，衣服の貸与，植木の貸与，カーテンの貸与，家具の貸与，壁掛けの貸与，敷物の貸与，会議室の貸与，展示施設の貸与，カメラの貸与，光学機械器具の貸与，漁業用機械器具の貸与，鉱山機械器具の貸与，計測器の貸与，コンバインの貸与，祭壇の貸与，自動販売機の貸与，芝刈機の貸与，火災報知機の貸与，消火器の貸与，タオルの貸与，暖冷房装置の貸与，超音波診断装置の貸与，加熱器の貸与，調理台の貸与，流し台の貸与，凸版印刷機の貸与，電子計算機（中央処理装置及び電子計算機用プログラムを記憶させた電子回路・磁気ディスク・磁気テープその他の周辺機器を含む。）の貸与，美容院用又は理髪店用の機械器具の貸与，布団の貸与，理化学機械器具の貸与，ルームクーラーの貸与」を指定商品及び指定役務として、平成１３年６月２７日に登録出願されたものである。
　
２　引用商標
　原査定において、本願商標の拒絶の理由に引用した登録商標は、以下のとおりである。
（１）「ＤＦＡ」の欧文字を横書きしてなる商標（以下「引用商標１」という。）
・登録第２０７０２４１号商標は、昭和６１年１月２１日に登録出願、同６３年８月２９日に設定登録され、第９類「産業機械器具、動力機械器具、機械要素、その他本類に属する商品、但し、ろ過器、その他の化学機械器具を除く」を指定商品とするものである。
・登録第３１７０３５０号商標は、平成５年６月２８日に登録出願、第２５類「被服」を指定商品として、同８年６月２８日に設定登録されたものである。
（２）「ＤＦＳ」の欧文字よりなる商標又は「ＤＦＳ」の欧文字を含む商標（以下「引用商標２」という。）
・登録第２４５２５４５号商標は、別掲（１）のとおりの構成よりなり、平成元年１０月２０日に登録出願、第１７類「被服、その他本類に属する商品」を指定商品として、同４年９月３０日に設定登録されたが、その存続期間が満了し、同１５年６月２５日に登録の抹消がされたものである。
・登録第２４５２５４６号商標は、別掲（２）のとおりの構成よりなり、平成元年１０月２０日に登録出願、第１７類「被服、その他本類に属する商品」を指定商品として、同４年９月３０日に設定登録されたが、その存続期間が満了し、同１５年６月２５日に登録の抹消がされたものである。
・登録第２５４７６９９号商標は、別掲（３）のとおりの構成よりなり、昭和６２年８月１７日に登録出願、第２６類「印刷物（文房具類に属するものを除く）書画、彫刻、写真、これらの附属品」を指定商品として、平成５年６月３０日に設定登録されたが、その存続期間が満了し、同１６年３月１０日に登録の抹消がされたものである。
・登録第２５４７７００号商標は、別掲（４）のとおりの構成よりなり、昭和６２年８月１７日に登録出願、第２６類「印刷物（文房具類に属するものを除く）書画、彫刻、写真、これらの附属品」を指定商品として、平成５年６月３０日に設定登録されたが、その存続期間が満了し、同１６年３月１０日に登録の抹消がされたものである。
・登録第２６３７７８６号商標は、別掲（１）のとおりの構成よりなり、平成元年１０月２０日に登録出願、第２６類「印刷物、その他本類に属する商品」を指定商品として、同６年３月３１日に設定登録されたものである。
・登録第２６３７７８７号商標は、別掲（２）のとおりの構成よりなり、平成元年１０月２０日に登録出願、第２６類「印刷物、その他本類に属する商品」を指定商品として、同６年３月３１日に設定登録されたものである。
・登録第３０００４１９号商標は、「ＤＦＳアンカー」の文字を横書きしてなり、平成４年５月２６日に登録出願、第３７類「しゅんせつ工事，土木一式工事」を指定役務として、同６年７月２９日に設定登録されたものである。
・登録第３００５８００号商標は、「ＤＦＳ」の文字を横書きしてなり、平成４年９月９日に登録出願、第３９類「旅行に関する契約（宿泊に関するものを除く。）の代理・媒介及び取次ぎ」を指定役務として、同６年９月３０日に設定登録されたものである。
・登録第３０７１２３６号商標は、別掲（２）のとおりの構成よりなり、平成４年９月２２日に登録出願、第３５類「小売店の経営の診断及び指導その他の経営の診断及び指導，商品の販売に関する情報の提供，市場調査，広告」を指定役務として、同７年８月３１日に設定登録されたものである。
・登録第３０７１２３７号商標は、別掲（１）のとおりの構成よりなり、平成４年９月２２日に登録出願、第３５類「小売店の経営の診断及び指導その他の経営の診断及び指導，商品の販売に関する情報の提供，市場調査，広告」を指定役務として、同７年８月３１日に設定登録されたものである。
・登録第３１３２７６１号商標は、「ＤＦＳ」の文字を横書きしてなり、平成４年９月９日に登録出願、第３６類「資金の貸付け，生命保険契約の締結の媒介，損害保険契約の締結の代理」を指定役務として、同８年３月２９日に設定登録されたものである。
・登録第３１３４６３９号商標は、「ＤＦＳ」の文字を横書きしてなり、平成４年９月９日に登録出願、第４２類「宿泊施設の提供の契約の媒介」を指定役務として、同８年３月２９日に設定登録されたものである。
・登録第４３１４４４５号商標は、別掲（５）のとおりの構成よりなり、平成９年１２月１２日に登録出願、第３５類「広告」を指定役務として、同１１年９月１０日に設定登録されたものである。
・登録第４３１４４４６号商標は、別掲（６）のとおりの構成よりなり、平成９年１２月１２日に登録出願、第３５類「広告」を指定役務として、同１１年９月１０日に設定登録されたものである。
・登録第４４３８３３０号商標は、別掲（７）のとおりの構成よりなり、平成１１年１０月２２日に登録出願、第１４類「貴金属，貴金属製食器類，貴金属製のくるみ割り器・こしょう入れ・砂糖入れ・塩振出し容器・卵立て・ナプキンホルダー・ナプキンリング・盆及びようじ入れ，貴金属製の花瓶及び水盤，貴金属製針箱，貴金属製宝石箱，貴金属製のろうそく消し及びろうそく立て，貴金属製喫煙用具，時計，記念カップ，記念たて」を指定商品として、同１２年１２月８日に設定登録されたものである。
・登録第４４３８３３１号商標は、別掲（７）のとおりの構成よりなり、平成１１年１０月２２日に登録出願、第１８類「原革，原皮，なめし革，毛皮，革ひも，傘，ステッキ，つえ，つえ金具，つえの柄，乗馬用具，愛玩動物用被服類」を指定商品として、同１２年１２月８日に設定登録されたものである。
・登録第４４４４３１１号商標は、別掲（８）のとおりの構成よりなり、平成１１年９月１４日に登録出願、第３５類「広告」を指定役務として、同１３年１月５日に設定登録されたものである。
（３）「ディー・エフ・エス」の片仮名文字を含む商標（以下「引用商標３」という。）
・登録第３０７１２３８号商標は、別掲（９）のとおりの構成よりなり、平成４年９月２２日に登録出願、第３５類「小売店の経営の診断及び指導その他の経営の診断及び指導，商品の販売に関する情報の提供，市場調査，広告，」を指定役務として、同７年８月３１日に設定登録されたものである。
・登録第３０７１２３９号商標は、別掲（１０）のとおりの構成よりなり、平成４年９月２２日に登録出願、第３５類「小売店の経営の診断及び指導その他の経営の診断及び指導，商品の販売に関する情報の提供，市場調査，広告」を指定役務として、同７年８月３１日に設定登録されたものである。
　
３　当審の判断
　本願商標は、「ＤＦＡＣＥ」の文字よりなるところ、その構成中の「ＦＡＣＥ」は「顔、表面」等を意味する語であって、わが国において親しまれた語であるから、本願商標は「Ｄ」と「ＦＡＣＥ」の語よりなると認識するのが自然であるといえる。そうすると、本願商標は、該文字に相応して「ディーフェイス」の称呼を生ずると判断するのが相当である。
　他方、引用商標１は、「ＤＦＡ」の文字に相応して「ディーエフエイ」の称呼を生じ、引用商標２は、その構成中の「ＤＦＳ」の文字に相応して「ディーエフエス」の称呼を生じ、また、引用商標３は、その構成中の「ディー・エフ・エス」の文字に相応して「ディーエフエス」の称呼を生じるものである。
　そこで、本願商標から生ずる「ディーフェイス」の称呼と、引用商標から生ずる「ディーエフエイ」及び「ディーエフエス」の称呼を比較すると、これらは構成音を著しく異にし、明確に区別できるものである。
　また、本願商標と引用商標１ないし３は、外観において明確に区別できるものであり、さらに、いずれも特定の観念を生ずることのない造語と認められるものであるから、観念においては比較することができないものである。
　そうすると、本願商標と引用商標１ないし３とは、その外観、称呼、観念におけるいずれの点よりみても相紛れるおそれのある類似する商標ということはできない。
　したがって、本願商標が商標法第４条第１項第１１号に該当するとして、本願を拒絶した原査定は、妥当でなく、取消しを免れない。
　その他、政令で定める期間内に、本願について拒絶の理由を発見しない。
　よって、結論のとおり審決する。